(57)【要約】【課題】  部品点数を削減でき、強度及び耐久性に優れた巻取装置を提供すること。【解決手段】  本発明は、上面にドラム側歯部３２を備えた紐巻取ドラム３を回転可能に保持する収納部２２の内周面に環状ギヤ２４が形成されたベース部材２と、前記ドラム側歯部３２と噛合するダイヤル側歯部と、前記環状ギヤ２４と係合する複数個のラチェット爪４１と、を備えたダイヤル部材４と、当該ダイヤル部材４をその回転軸方向に沿って移動可能な状態で前記ベース部材２に装着するための軸部材５と、前記ダイヤル側歯部を前記ドラム側歯部３２と噛合した状態に維持するバネ部材６と、を備え、前記ダイヤル部材４は、前記各ラチェット爪４１の上側の本体部４ａに空洞部４３を設け、前記ラチェット爪４１の下方に突出するように前記ダイヤル側歯部を設けることで、前記ダイヤル側歯部と前記各ラチェット爪４１とを一体成形にて備えている巻取装置１である。【選択図】図１
2017184964.tif 000002
【特許請求の範囲】
【請求項１】
上面に複数個のドラム側歯部を環状に配置して備えた紐巻取ドラムと、
当該紐巻取ドラムを回転可能に保持する筒状の収納部を備え、当該収納部の内周面に環状ギヤが形成されたベース部材と、
前記ドラム側歯部と噛合する複数個のダイヤル側歯部と、前記環状ギヤの内側から当該環状ギヤと係合する複数個のラチェット爪と、を備えたダイヤル部材と、
当該ダイヤル部材をその回転軸方向に沿って移動可能な状態で前記ベース部材に装着するための軸部材と、
前記ダイヤル部材の前記ダイヤル側歯部を前記紐巻取ドラムの前記ドラム側歯部と噛合した状態に維持するためのバネ部材と、
を備えた巻取装置であって、
前記ダイヤル部材は、前記各ラチェット爪の上側の本体部に空洞部を設け、さらに前記ラチェット爪の下方に突出するように前記ダイヤル側歯部を設けることで、前記ダイヤル側歯部と前記各ラチェット爪とを一体成形にて備えていることを特徴とする巻取装置。
【請求項２】
前記ダイヤル部材は、前記バネ部材を収納するバネ収納部を前記ラチェット爪の形成位置と重ならない内側位置に備えており、かつ、当該バネ収納部は前記ダイヤル部材の上面にて開口していることを特徴とする請求項１に記載の巻取装置。
【請求項３】
前記ダイヤル部材は、その回転中心を中心として、互いに９０度離間した位置にて前記ラチェット爪が計４個形成されており、当該ラチェット爪の形成位置から４５度離れた位置に前記バネ部材を収納するバネ収納部が互いに１８０度離間した位置にて計２個形成されていることを特徴とする請求項１又は２に記載の巻取装置。
【請求項４】
前記バネ部材は、略Ｕ字状に形成されており、その一端部が前記軸部材の側部にて軸支され、他端部が前記バネ収納部の内側面にて支持されており、前記ダイヤル部材がその回転軸方向に沿って移動すると、前記ダイヤル側歯部が前記ドラム側歯部から離脱した状態から噛合した状態となる間の位置において、圧縮方向が切り替わるものであることを特徴とする請求項１〜３の何れか一項に記載の巻取装置。
【請求項５】
前記軸部材は、円柱状に形成されており、略Ｕ字状に形成された前記バネ部材の一端部が当該軸部材の側部にて軸支されるものであることを特徴とする請求項１〜４の何れか一項に記載の巻取装置。
【発明の詳細な説明】
【技術分野】
【０００１】
本発明は、紐を巻き取るための巻取装置に関するものであって、運動用の靴、ビジネスシューズ、子供用の靴など、各種の靴の靴紐を締め付けたり、鞄を閉じるための紐を締め付けたりするのに適した巻取装置に関するものである。
【背景技術】
【０００２】
従来、図６及び図７に示すように、靴Ｓの靴紐Ｗを締め付けるのに適した巻取装置として、ダイヤル（円盤状のつまみ）を回転することによって紐巻取ドラムに対して靴紐Ｗを巻き付けることができ、ダイヤルを引くことで、ダイヤルと紐巻取ドラムとの係合状態を解除して靴紐の締め付けをワンタッチで解除することができる靴紐巻取装置１００が提案されている（特許文献１、２）。
【０００３】
上記特許文献１、２に記載されている靴紐巻取装置１００においては、「上面に複数個のドラム側歯部１１１を環状に配置して備えた紐巻取ドラム１０１と、前記紐巻取ドラム１０１を回転可能に保持する筒状の収納部１２１を備え、当該収納部１２１の内周面に環状ギヤ１２２が形成されたベース部材１０２と、前記ドラム側歯部１１１と噛合する複数個のダイヤル側歯部１３１と、前記環状ギヤ１２２と係合する複数個のラチェット爪１３２と、を有する部材１０３と、円盤状のダイヤル部材１０４と、当該ダイヤル部材１０４をその回転軸方向に沿って移動可能な状態で前記ベース部材１０２に装着するための軸部材１０５と、前記ダイヤル側歯部１３１を前記ドラム側歯部１１１から離脱した状態から噛合した状態となるまで前記ダイヤル部材１０４を前記紐巻取ドラム１０１側へ付勢するバネ部材１０６」を備えている。
【０００４】
そして、前記ダイヤル側歯部１３１とラチェット爪１３２を有する部材１０３と、前記ダイヤル部材１０４とは、部材１０３を構成する樹脂の一部を爪状に形成した部分１０３ａの弾性変形を利用して組み付けることで一体化されている。
【０００５】
これら従来の靴紐巻取装置１００は、小型で軽量であることが求められており、巻き取られた靴紐Ｗによって紐巻取ドラム１０１に大きな力が加わったり、使用の際に靴や段差などに当たってしまうことがあり、ダイヤル側歯部１３１とラチェット爪１３２を有する部材１０３とダイヤル部材１０４との組み付け部分が損傷し、組み付け状態を維持できなくなったり、装置が正常に作動しなくなるという問題がある。
【０００６】
また、特許文献３に記載の巻取装置においては、ダイヤル部材に形成されているラチェット爪が上下方向を向いており、かかるラチェット爪を用いると、紐巻取ドラムを収納するベース部材の外径が太くなり、装置全体が大型化してしまうという問題がある。
さらに、特許文献３に記載の巻取装置においては、ダイヤル部材に形成されているラチェット爪が上下方向を向いており、装置全体の上下方向のサイズ（高さ）が大きくなるという問題がある。
【先行技術文献】
【特許文献】
【０００７】
【特許文献１】特開２０１５−２９３号公報
【特許文献２】特開２０１５−２９７号公報
【特許文献３】米国特許第７９５４２０４号公報
【発明の概要】
【発明が解決しようとする課題】
【０００８】
本発明が解決しようとする課題は、巻取装置において、紐巻取ドラムを回転駆動するための歯部とラチェット爪とを有する部材と、ダイヤル部材との組み付け部分が損傷し、組み付け状態を維持できなくなったり、装置が正常に作動しなくなるということである。
そして、本発明の目的は、紐巻取ドラムを回転駆動するための歯部とラチェット爪とを有する部材の強度、耐久性及び信頼性を高めた巻取装置を提供することにある。
【０００９】
本発明の他の目的は、紐巻取ドラムを回転駆動するためのダイヤル部材を、歯部とラチェット爪とを有する一体成形されたものとし、部品点数を削減するとともに、バネ部材をもコンパクトな形態にて組み込むことができ、かつ、強度と耐久性に優れた巻取装置を提供することにある。
【００１０】
本発明の他の目的は、略Ｕ字状のバネ部材をダイヤルを回転可能に支持する軸部材にて軸支することで、耐久性と信頼性に優れ、かつ、ダイヤル部材をバランス良く付勢することができる巻取装置を提供し、さらには当該軸部材によってバネ部材を強固に支持できる巻取装置を提供することにある。
【課題を解決するための手段】
【００１１】
本発明は、「上面に複数個のドラム側歯部を環状に配置して備えた紐巻取ドラムと、当該紐巻取ドラムを回転可能に保持する筒状の収納部を備え、当該収納部の内周面に環状ギヤが形成されたベース部材と、前記ドラム側歯部と噛合する複数個のダイヤル側歯部と、前記環状ギヤの内側から当該環状ギヤと係合する複数個のラチェット爪と、を備えたダイヤル部材と、当該ダイヤル部材をその回転軸方向に沿って移動可能な状態で前記ベース部材に装着するための軸部材と、前記ダイヤル部材の前記ダイヤル側歯部を前記紐巻取ドラムの前記ドラム側歯部と噛合した状態に維持するためのバネ部材と、を備えた巻取装置であって、
前記ダイヤル部材は、前記各ラチェット爪の上側の本体部に空洞部を設け、さらに前記ラチェット爪の下方に突出するように前記ダイヤル側歯部を設けることで、前記ダイヤル側歯部と前記各ラチェット爪とを一体成形にて備えている巻取装置。」を最も主要な特徴とするものである。
【００１２】
本発明の巻取装置において、前記ダイヤル部材は、前記バネ部材を収納するバネ収納部を前記ラチェット爪の形成位置と重ならない内側位置に備えており、かつ、当該バネ収納部は前記ダイヤル部材の上面にて開口しているものであってもよい。
本発明の巻取装置において、前記ダイヤル部材は、その回転中心を中心として、互いに９０度離間した位置にて前記ラチェット爪が計４個形成されており、当該ラチェット爪の形成位置から４５度離れた位置に前記バネ部材を収納するバネ収納部が互いに１８０度離間した位置にて計２個形成されているものであるとよい。
【００１３】
本発明の巻取装置において、前記バネ部材は、略Ｕ字状に形成されており、その一端部が前記軸部材の側部にて軸支され、他端部が前記バネ収納部の内側面にて支持されており、前記ダイヤル部材がその回転軸方向に沿って移動すると、前記ダイヤル側歯部が前記ドラム側歯部から離脱した状態から噛合した状態となる間の位置において、圧縮方向が切り替わるものであるものであってもよい。
前記軸部材は、円柱状に形成されており、略Ｕ字状に形成された前記バネ部材の一端部が当該軸部材の側部にて軸支されるものであってもよい。
【発明の効果】
【００１４】
上記のように構成した本発明は、ベース部材に形成された環状ギヤの内側から水平方向にて当該環状ギヤと係合する複数個のラチェット爪を採用するコンパクトな形態の巻取装置において、前記ダイヤル部材の前記各ラチェット爪の上側の本体部に空洞部を設けることにより、前記ダイヤル側歯部と前記各ラチェット爪とを一体成形にて製造することが可能となる。
従って、紐に大きな張力を加えるためのダイヤル部材が合成樹脂からなる小型で複雑形状で軽量なものであっても、紐による大きな張力とバネ部材による付勢力に耐える強度と耐久性を有するものとすることが可能となる。また、巻取装置を構成する部品点数を削減し、製造コストを削減することもできる。
【００１５】
本発明の巻取装置において、前記ダイヤル部材が、前記バネ部材を収納するバネ収納部を前記ラチェット爪の形成位置と重ならない内側位置に備えており、かつ、当該バネ収納部は前記ダイヤル部材の上面にて開口しているものとすることで、ダイヤル部材を可能な限りコンパクトな形態とすることができ、かつ、バネ部材をダイヤル部材の上面側からダイヤル部材に組み付けることができ、巻取装置の組み立て作業やメンテナンスを効率良く行うことができる。
【００１６】
本発明の巻取装置において、前記ダイヤル部材が、その回転中心を中心として、互いに９０度離間した位置にて前記ラチェット爪が計４個形成されており、当該ラチェット爪の形成位置から４５度離れた位置に前記バネ部材を収納するバネ収納部が互いに１８０度離間した位置にて計２個形成されているものとすることで、ラチェット爪とバネ収納部とをバランス良く、かつ、無駄なくスペースを活用して巻取装置の小型・軽量化を図ることができ、耐久性及び信頼性に優れた巻取装置を提供することができる。
【００１７】
本発明の巻取装置において、前記バネ部材が、略Ｕ字状に形成されており、その一端部が前記軸部材の側部にて軸支され、他端部が前記バネ収納部の内側面にて支持されており、前記ダイヤル部材がその回転軸方向に沿って移動すると、前記ダイヤル側歯部が前記ドラム側歯部から離脱した状態から噛合した状態となる間の位置において、圧縮方向が切り替わるものとした場合には、ダイヤル側歯部がドラム側歯部から離脱した状態であるか、噛合した状態であるかを明確なものとすることができ、かつ、それぞれの状態を維持することができるため、使用し易い巻取装置を提供することができる。
【００１８】
また、本発明の巻取装置において、前記軸部材が、円柱状に形成されており、略Ｕ字状に形成された前記バネ部材の一端部が当該軸部材の側部にて軸支されるものとした場合には、軸部材によってバネ部材を強固に支持することができ、強度、耐久性及び信頼性に優れた巻取装置を提供することができる。
【図面の簡単な説明】
【００１９】
【図１】図１は本発明を具体化した靴紐巻取装置の斜視図と、その構成部品を示す分解斜視図である。
【図２】図２は本発明を具体化した靴紐巻取装置の断面図であって、（Ａ）は靴紐巻取装置のダイヤル部材がロック位置にある状態を示す断面図、（Ｂ）は靴紐巻取装置のダイヤル部材が解除位置にある状態を示す断面図である。
【図３】図３は本発明を具体化した靴紐巻取装置のダイヤル部材を示し、（Ａ）はダイヤル部材の斜視図、（Ｂ）はダイヤル部材の平面、（Ｃ）はダイヤル部材の底面図である。
【図４】図４は本発明を具体化した靴紐巻取装置のダイヤル部材に軸部材とバネ部材を組み込んだ状態を示し、（Ａ）はダイヤル部材の斜視図、（Ｂ）はダイヤル部材の平面図である。
【図５】図５（Ａ）〜（Ｅ）は本発明を具体化した靴紐巻取装置の軸部材を示し、（Ａ）は軸部材の斜視図、（Ｂ）は軸部材の正面図、（Ｃ）は軸部材の斜視図、（Ｄ）は軸部材の底面図、（Ｅ）は軸部材の側面図である。
【図６】図６は従来の靴紐巻取装置を備えた靴の斜視図、及び、靴紐巻取装置の断面図である。
【図７】図７は従来の靴紐巻取装置の構成部品を示す分解斜視図である。
【発明を実施するための形態】
【００２０】
本発明は、以下において説明する実施形態などによって好適に具体化することができるものであり、「上面に複数個のドラム側歯部３２を環状に配置して備えた紐巻取ドラム３と、当該紐巻取ドラム３を回転可能に保持する筒状の収納部２２を備え、当該収納部２２の内周面に環状ギヤ２４が形成されたベース部材２と、前記ドラム側歯部３２と噛合する複数個のダイヤル側歯部４２と、前記環状ギヤ２４の内側から当該環状ギヤ２４と係合する複数個のラチェット爪４１と、を備えたダイヤル部材４と、当該ダイヤル部材４をその回転軸方向に沿って移動可能な状態で前記ベース部材２に装着するための軸部材５と、前記ダイヤル部材４の前記ダイヤル側歯部４２を前記紐巻取ドラム３の前記ドラム側歯部３２と噛合した状態に維持するためのバネ部材６と、を備えた巻取装置１であって、
前記ダイヤル部材４は、前記各ラチェット爪４１の上側の本体部４ａに空洞部４３を設け、さらに、前記ラチェット爪４１の下方に突出するように前記ダイヤル側歯部４２を設けることで、前記ダイヤル側歯部４２と前記各ラチェット爪４１とを一体成形にて備えている巻取装置１」である。
【００２１】
以下、本発明の巻取装置を運動靴などの靴紐を巻き取るための靴紐巻取装置について具体化した一実施形態について説明する。
図１は、本発明の一実施形態の靴紐巻取装置１を示し、図６に示す従来の靴紐巻取装置１００と同様に、靴に装着することができ、ワイヤー状の靴紐Ｗによって靴Ｓの甲部を締め付けることができるようになっている。
【００２２】
靴紐巻取装置１は、図１〜図５に示すように、ベース部材２と、靴紐を巻き取るための紐巻取ドラム３と、前記紐巻取ドラム３を回転駆動するための円盤状のダイヤル部材４と、前記ダイヤル部材４を前記ベース部材２に装着するために前記ベース部材２に対して回転自在に固定される軸部材５と、当該軸部材５にて一端部が軸支された２個のバネ部材６などから構成されている。
【００２３】
前記ベース部材２は、薄板状のフランジ２１が、前記紐巻取ドラム３を回転可能に収納するための有底円筒状の紐巻取ドラム収納部２２の底部周囲に突出するように形成されることで全体が一体成形されており、当該フランジ２１が、靴に縫い付け固定されることで靴紐巻取装置１を靴に固定することができるようになっている。
【００２４】
前記紐巻取ドラム収納部２２は、その底部中央に前記紐巻取ドラム３を軸支するための回転軸２３が突設されており、また、当該紐巻取ドラム収納部２２の上部にはその内周面に沿って環状ギヤ２４が形成されている。
この環状ギヤ２４は、前記ダイヤル部材４に形成した４本の細長い板状のラチェット爪４１と協働してラチェット機構を構成し、靴紐を巻き付ける方向（正回転）にのみ前記ラチェット爪４１が移動できるように、断面が「のこぎり歯」状に形成されている。
【００２５】
さらに、前記ベース部材２には、前記紐巻取ドラム収納部２２の内底部に開口する靴紐引出口２５が２ヶ所形成され、前記紐巻取ドラム３に両端部が固定されて巻き付けられた靴紐を前記紐巻取ドラム収納部２２から外部に引き出すことができるようになっている。
前記紐巻取ドラム３は、その中央部に回転軸受部３１が形成されており、当該回転軸受部３１の内面側には、前記ベース部材２の前記回転軸２３が挿入され、紐巻取ドラム収納部２２内にて紐巻取ドラム３が回転可能となっている。
【００２６】
前記紐巻取ドラム３の上面には、前記回転軸受部３１を中心としてその周囲に環状に複数のドラム側歯部３２が形成されており、前記ダイヤル部材４の下面に形成された後記するダイヤル側歯部４２と噛合することで、前記ダイヤル部材４の回転を前記紐巻取ドラム３に伝達できるようになっている。
【００２７】
前記ダイヤル部材４の下面側には、細長い棒状の４本のラチェット爪４１が等間隔にて形成されている。従って、各ラチェット爪４１は、前記ダイヤル部材４の回転中心を中心として互いに９０度離間して配置されている。
このラチェット爪４１は、その先端部と、先端部から若干基端部寄りの位置の外面に形成された突部４１ａが、前記紐巻取ドラム収納部２２の上部内周面に形成された環状ギヤ２４とその内側から係合するようになっている。
なお、本実施形態においては、１８０度離間した２本のラチェット爪４１にのみ突部４１ａを設けている。
このように、ラチェット爪４１の形状を２本変えることで、ダイヤル部材４の本体部４ａが分断されることなくつながり、ダイヤル部材４の強度を高めることができる。
【００２８】
前記ダイヤル部材４の下面側には、前記各ラチェット爪４１の内側位置において、かつ、当該ラチェット爪４１の下方に突出するように、前記ダイヤル部材４の回転中心（軸穴４６）を中心として環状に複数のダイヤル側歯部４２が形成されており、前記ドラム側歯部３２と噛合することができるようになっている。
【００２９】
前記ダイヤル部材４は、上下方向に移動することで、当該ダイヤル部材４の回転を紐巻取ドラム３に伝達できるロック状態と、紐巻取ドラム３が自由に回転できるようにダイヤル部材４から紐巻取ドラム３を切り離した解除状態とを実現することができるようになっている。
【００３０】
さらに、前記ダイヤル部材４は、前記各ラチェット爪４１の上側の本体部４ａに空洞部４３を備えている。従って、前記ダイヤル側歯部４２と前記各ラチェット爪４１とを一体成形にて製造することが可能となっている。
このため、前記ダイヤル部材４を靴紐による大きな張力とバネ部材６による付勢力に耐える強度と耐久性を有するものとすることが可能となる。
また、靴紐巻取装置１の部品点数を削減し、その製造コストを削減し、かつ、組立作業を効率化することもできる。
【００３１】
前記ダイヤル部材４は、前記バネ部材６を収納するバネ収納部４４を前記ラチェット爪４１の形成位置と重ならない内側位置（中心寄りの位置）に備えており、かつ、当該バネ収納部４４は前記ダイヤル部材４の上面にて開口している。
特に、本実施形態において、前記バネ収納部４４と前記各空洞部４３との間には壁が形成されており、前記バネ収納部４４と他の空間を形成する４箇所の前記空洞部４３とは接続されていない。従って、前記ダイヤル部材４の本体部４ａの強度を高く維持することができる。
さらに、ダイヤル部材４をコンパクトな形態とすることができ、かつ、バネ部材６をダイヤル部材４の上面側からダイヤル部材４に組み付けることができ、靴紐巻取装置１の組み立て作業を効率良く行うことができる。
【００３２】
前記ダイヤル部材４は、本実施形態において、前記ラチェット爪４１の形成位置から４５度離れた位置に前記バネ部材６を収納する前記バネ収納部４４が互いに１８０度離間した位置にて計２個形成されている。
従って、ラチェット爪４１とバネ収納部４４とをバランス良くコンパクトに配置でき、かつ、小さなダイヤル部材４のスペースを無駄なく活用して靴紐巻取装置１の小型・軽量化を図ることができるばかりか、強度、耐久性及び信頼性に優れた靴紐巻取装置１を提供することができる。
【００３３】
前記軸部材５は、前記ダイヤル部材４を前記ベース部材２に対して回転自在に装着するために、ネジ７によって前記ベース部材２に回転可能に固定されるものであって、前記ダイヤル部材４を前記ベース部材２に接近させたロック位置と当該ベース部材２から離した解除位置との間で移動可能な状態で保持し案内することができるようになっている。
【００３４】
前記軸部材５は、円柱状に形成されており、その軸心方向と直交する方向にて当該軸部材５の上端部付近において、１８０度離れて対向する２つの側部を切り欠いて形成した軸受部５１に対し、前記バネ部材６に形成した直線状の一端部（軸部６１）が挿入されることで、当該バネ部材６を回動可能に軸支するようになっている。
さらに、前記軸部材５が円柱状であるため、前記軸受部５１の強度を高めることができる。
また、本実施形態において、前記バネ部材６は前記軸部材５の側部において逆方向（点対称の位置）に装着されている。
【００３５】
前記バネ部材６は、全体が略Ｕ字形に湾曲形成されており、湾曲した他端側のバネ部６２が、前記ダイヤル部材４の前記バネ収納部４４の内面に設けた係止部４５に常時当接するようになっている。
また、前記バネ部材６の他端部（バネ部６２）は、前記バネ収納部４４の開口部に形成した抜止突部４４ａによって前記バネ収納部４４から抜け出さないようになっている。
【００３６】
そして、前記ダイヤル部材４がロック位置から解除位置まで上下方向に移動することで、紐巻取ドラム３をロック状態から解除状態に切替可能としている。
さらに、当該ロック位置と解除位置との間の位置に前記バネ部材６のバネ部６２が最も強く圧縮される反転位置が存在するように設定されている。
【００３７】
前記ダイヤル部材４の上側には、薄い円盤状のカバー部材８が嵌合し、靴紐巻取装置１の内部にゴミなどが入り込まないようになっている。
なお、前記カバー部材８の中央部には透孔８１が形成されており、この透孔８１を介してカバー部材８の内側（下側）のネジ７を操作してベース部材２から紐巻取ドラム３、ダイヤル部材４、軸部材５及びバネ部材６を取り外せるようになっている。
【００３８】
前記靴紐巻取装置１とともに使用するワイヤー状の靴紐としては、摩擦抵抗が少ない樹脂製の靴紐、又は、金属製の素線を撚り合わせたワイヤーロープに樹脂被覆したものなどを好適に用いることができる。
【００３９】
次に、上記にて説明した靴紐巻取装置１の各部品を組み付けて製造する方法について説明する。
まず、靴紐巻取装置１のベース部材２に紐巻取ドラム３を装着するため、２ヶ所の靴紐引出口２５にそれぞれ靴紐の先端を挿入し、紐巻取ドラム収納部２２の内側からその靴紐の両端部を引き出す。
そして、靴紐の両端部を紐巻取ドラム３に固定し、紐巻取ドラム３を紐巻取ドラム収納部２２内に配置する。
【００４０】
次に、ダイヤル部材４に軸部材５及びバネ部材６を組み付ける。
この場合、前記バネ部材６は、前記軸部材５が前記ダイヤル部材４の中央部に形成された軸穴４６に挿入される際に、当該バネ部材６のバネ部６２がダイヤル部材４の前記バネ収納部４４に挿入されて前記ダイヤル部材４に組み付けられる。
なお、軸部材５の上端部に形成したフランジ５２がダイヤル部材４の軸穴４６の縁に当接するため、ダイヤル部材４が軸部材５から外れることはなく、また、ダイヤル部材４と軸部材５とのがたつきが防止される。
【００４１】
上記手順にてダイヤル部材４、軸部材５及びバネ部材６を組み付けた後、ネジ７を軸部材５の軸心に沿って透設したネジ挿入孔５３に挿通し、軸部材５などをベース部材２に装着する。
最後にカバー部材８をダイヤル部材４の上側に嵌め込むことで、靴紐巻取装置１を組み付けることができる。
メンテナンス又は修理のために靴紐巻取装置１を分解する際には、カバー部材８の透孔８１からネジ回しを挿入し、ネジ７を外すことで、組み付けられたダイヤル部材４、軸部材５及びバネ部材６をベース部材２から取り外すことができる。
【００４２】
なお、本実施形態の靴紐巻取装置１において各部材を構成する材料としては、強度、耐久性、弾力性などを考慮し、一例として以下のものを用いたが、これらの材料に限定されるものではない。
ベース部材２・・・ナイロン
紐巻取ドラム３、軸部材５・・・ＰＯＭ（ポリアセタール）
ダイヤル部材４・・・ナイロンとその周囲にＴＰＥ（熱可塑性エラストマー）
バネ部材６・・・ステンレス鋼
ネジ７・・・炭素鋼
カバー部材８・・・ＡＢＳ樹脂
【００４３】
上記のように構成された靴紐巻取装置１の使用方法について説明する。
靴を履いた後に、靴紐を締め付けるには、靴紐巻取装置１のダイヤル部材４を前記ベース部材２に接近させたロック位置、即ち、ドラム側歯部３２とダイヤル側歯部４２が係合している状態にてダイヤル部材４を回転操作し、靴紐を紐巻取ドラム３に巻き付ける。
この場合、ダイヤル部材４のラチェット爪４１の先端部及び突部４１ａが環状ギヤ２４に当接することで、靴紐が緩む方向に紐巻取ドラム３が回転することはない。
【００４４】
また、ロック位置と解除位置の間の位置に前記バネ部材６が最も強く圧縮される反転位置を設定してあるため、ダイヤル部材４がロック位置にある状態では、バネ部材６が図２（Ａ）に示す状態となっており、ダイヤル部材４をロック位置に保持する。
この時、バネ部材６は、軸部材５を持ち上げダイヤル部材４を下に押さえる方向を向いている。
次に、靴紐の締め付けを緩めるには、ドラム側歯部３２とダイヤル側歯部４２との係合状態を解除する必要があり、靴紐巻取装置１のダイヤル部材４を上側へ引く。
【００４５】
この時、バネ部材６は圧縮され、その反発力に抗してさらに上側にダイヤル部材４を引くことで、前記バネ部材６が最も強く圧縮される反転位置を越え、当該ロック位置と解除位置との間でバネ部材６が圧縮される方向が切り替わることにより、ダイヤル部材４をベース部材２から離した解除位置に移動させる（図２（Ｂ）に示す状態）。
前記バネ部材６の他端部（バネ部６２）は、前記ダイヤル部材４のバネ収納部４４の内面に設けた係止部４５と常時当接しており、部品の摩耗を防ぐことができる。
【００４６】
このように、バネ部材６によってダイヤル部材４がロック位置と解除位置との間で明確に切り替わるため、操作性に優れるばかりか、前記ダイヤル部材４の状態を把握することも容易である。
上記のように前記ダイヤル部材４がロック位置から解除位置に移動すると、紐巻取ドラム３のドラム側歯部３２とダイヤル側歯部４２との噛合がスムーズに解除され、紐巻取ドラム３が自由に回転できるようになり、靴紐が緩められる。
【００４７】
逆に、前記ダイヤル部材４を解除位置からロック位置に移動させるように下方へ押さえ付けると、前記バネ部材６が最も強く圧縮される反転位置を逆向きに越え、紐巻取ドラム３のドラム側歯部３２とダイヤル部材４のダイヤル側歯部４２とが再び噛合することとなるため、紐巻取ドラム３に靴紐を巻き取って靴紐を締め付けることが可能となる。
【００４８】
なお、本明細書中において、「ダイヤル」とは、紐巻取ドラム３を回転駆動するための操作部として機能するものであれば特に形状が限定されるものではなく、多角形状のものであってもよい。
本発明は靴紐を締め付けるための靴紐巻取装置１に限定されるものではなく、鞄や帽子など、他の物品の紐を締め付けるための巻取装置に具体化して実施してもよい。
【００４９】
さらに、本発明の趣旨を逸脱しない範囲で巻取装置の各部の材質、形状、寸法、角度、設置位置、大きさ、数などを適宜変更して実施してもよい。
【産業上の利用可能性】
【００５０】
本発明は、小型・軽量であって、強度、耐久性、信頼性及び操作性に優れ、物品を使用する際の邪魔になったり、物品の外観デザインを害することなく多種多様な物品に手軽に用いることができる巻取装置として産業上好適に利用可能である。
【符号の説明】
【００５１】
１    靴紐巻取装置
２    ベース部材
２１  フランジ
２２  紐巻取ドラム収納部
２３  回転軸
２４  環状ギヤ
２５  靴紐引出口
３    紐巻取ドラム
３１  回転軸受部
３２  ドラム側歯部
４    ダイヤル部材
４ａ  本体部
４１  ラチェット爪
４１ａ  突部
４２  ダイヤル側歯部
４３  空洞部
４４  バネ収納部
４４ａ  抜止突部
４５  係止部
４６  軸穴
５    軸部材
５１  軸受部
５２  フランジ
５３  ネジ挿入孔
６    バネ部材
６１  軸部（一端部）
６２  バネ部（他端部）
７    ネジ
８    カバー部材
８１    透孔
１００  靴紐巻取装置（従来技術）
１０１  紐巻取ドラム
１１１  ドラム側歯部
１０２  ベース部材
１２１  収納部
１２２  環状ギヤ
１０３  ダイヤル側歯部とラチェット爪を有する部材
１０３ａ  爪状に形成した部分
１３１  ダイヤル側歯部
１３２  ラチェット爪
１０４  ダイヤル部材
１０５  軸部材
１０６  バネ部材
Ｓ    靴
Ｗ    靴紐
【図１】
2017184964.tif 000003
【図２】
2017184964.tif 000004
【図３】
2017184964.tif 000005
【図４】
2017184964.tif 000006
【図５】
2017184964.tif 000007
【図６】
2017184964.tif 000008
【図７】
2017184964.tif 000009